(57)【要約】【課題】簡単な構成でありながらコンパクトでかつ防犯性が高い建築用開閉体の施錠装置を提供すること。【解決手段】建築開口部を開閉する開閉体を閉鎖状態で施錠するための施錠装置Ｊであって、施錠装置Ｊを、錠受け部６，６、錠受け部６、６に係合する施錠状態と係合解除する解錠状態に変姿する第一施錠部Ｊ１及び第二施錠部Ｊ２から構成し、各施錠部Ｊ１、Ｊ２の施錠状態から解錠状態への変姿を各施錠部Ｊ１、Ｊ２の同時解錠操作に基づいてのみ行われるようにした。【選択図】図２
2004027760.tif 000002
【特許請求の範囲】
【請求項１】
建築開口部を開閉する開閉体を閉鎖状態で施錠するための施錠装置であって、
該施錠装置は、錠受け部と、第一施錠部及び第二施錠部を有し、前記錠受け部に係合する施錠状態と係合解除する解錠状態に変姿可能な構成とし、
前記施錠装置の施錠状態から解錠状態への変姿は、各施錠部の同時解錠操作に基づいて行われることを特徴とする建築用開閉体の施錠装置。
【請求項２】
建築開口部を開閉する開閉体を閉鎖状態で施錠するための施錠装置であって、
該施錠装置は、錠受け部と、該錠受け部に係合する施錠状態と係合解除する解錠状態に変姿する第一施錠部及び第二施錠部から構成され、
前記施錠装置の施錠状態から解錠状態への変姿は、各施錠部の同時解錠操作に基づいて行われることを特徴とする建築用開閉体の施錠装置。
【請求項３】
請求項１又は２において、前記各施錠部はそれぞれ解錠操作に伴って同一方向に変位する作動手段を有し、該作動手段どうしを連動連結したことを特徴とする建築用開閉体の施錠装置。
【発明の詳細な説明】
【０００１】
【発明の属する技術分野】
本発明は、建築物の開口部や出入り口に設けられる建築用開閉体における施錠装置の技術分野に関するものである。
【０００２】
【従来の技術】
一般に、建築物の開口部や出入り口に設けられて開口部や出入り口を開閉する開閉体、例えばこれが建築用シャッターである場合には、盗難防止等のために閉鎖状態となったシャッターカーテンを施錠するための施錠装置が設けられている。このような施錠装置は屋内側に設けた操作部の操作、又は屋外側に設けた鍵部を操作することにより、躯体側に設けた錠受け部に係合する施錠状態と錠受け部と係合が解除される解錠状態に変姿可能に構成されており、シャッターカーテンを全閉にして施錠装置を施錠状態とすることでシャッターカーテンが施錠されるようになっていた。
【０００３】
【発明が解決しようとする課題】
前記従来のシャッター装置において、施錠装置はシャッターカーテンの中間部分に一つ設けられる構成であり、該施錠装置の操作部若しくは鍵部を操作することで施錠・解錠を行うようになっている。
一方、近年、盗難等の被害が続出しており、このため施錠装置をより強固のものにすることが提唱されているが、施錠装置を強固なものにする場合には大型なものになったり、重くなったりと、コンパクト化に反することになり、特に施錠装置を上記のシャッター装置に設ける場合には、シャッターカーテンを形成するスラットに施錠装置を設置する必要があり大型化することが出来ず、ここに本発明が解決しようとする課題があった。
【０００４】
【課題を解決するための手段】
本発明は、上記の実情に鑑み、これらの課題を解決することを目的として創作されたものであって、建築開口部を開閉する開閉体を閉鎖状態で施錠するための施錠装置であって、該施錠装置は、錠受け部と、第一施錠部及び第二施錠部を有し、前記錠受け部に係合する施錠状態と係合解除する解錠状態に変姿可能な構成とし、前記施錠装置の施錠状態から解錠状態への変姿は、各施錠部の同時解錠操作に基づいて行われることを特徴としたものである。そしてこのようにしたことで施錠装置は第一施錠部と第二施錠部の同時の解錠操作を行わない限り解錠することが出来ず、解錠操作を知らないものにとっては解錠操作が難しく、簡単な構成でありながら施錠装置の防犯性を高めることができる。
また本発明は、建築開口部を開閉する開閉体を閉鎖状態で施錠するための施錠装置であって、該施錠装置は、錠受け部と、該錠受け部に係合する施錠状態と係合解除する解錠状態に変姿する第一施錠部及び第二施錠部から構成され、前記各施錠部の施錠状態から解錠状態への変姿は、各施錠部の同時解錠操作に基づいて行われることを特徴としたものである。そしてこのようにしたことで、請求項１と同様に施錠装置は第一施錠部と第二施錠部の同時の解錠操作を行わない限り解錠することが出来ず、解錠操作を知らないものにとっては解錠操作が難しく、簡単な構成でありながら施錠装置の防犯性を高めることができる。
またこれらのものにおいて、前記各施錠部はそれぞれ解錠操作に伴い同一方向に変位する作動手段を有し、該作動手段どうしを連動連結したことを特徴としたものである。
【０００５】
【発明の実施の形態】
次に、本発明の実施の形態を図面に基づいて説明する。
尚、本実施の形態では、建物開口部に設けられる建築用開閉体のうち、本発明を建築用シャッターに採用した場合で説明することとする。
図面において、１はバランス式（手動式）の建築用シャッター装置を構成するシャッターカーテンであって、シャッターカーテン１は、左右方向に長い金属製のスラット１ａを上下に連結して構成されており、上端部が建築開口部上方に位置するシャッターケース２の内部に架設された巻き取りシャフト３に装着されていて、巻き取りシャフト３の正逆回転により開口部の左右に立設したガイドレール４、４にガイドされながらシャッターカーテン１が繰り出し、巻き取られ開口部を開閉する構成となっている。また巻取りシャフト３にはバランス弾機５が設けられており、シャッターカーテン１を繰り出すことにより、繰り出されたシャッターカーテン１の自重とほぼバランスするように構成されており、これによって手動で操作した場合であっても軽い操作力でシャッターカーテン１の開閉を行うこと出来る。尚、これらは何れも従来通りの構成である。
【０００６】
前記シャッターカーテン１の屋内側には、シャッターカーテン１の全閉状態で人が操作しやすい高さに位置して本発明の施錠装置Ｊが設けられている。施錠装置Ｊはシャッターカーテン１を構成するスラット１ａの屋内側の中央部分に連接して取り付けられる第一施錠部Ｊ１・第二施錠部Ｊ２と、シャッターカーテン１の全閉状態において前記第一施錠部Ｊ１・第二施錠部Ｊ２の取付位置と同じ高さの左右ガイドレール４、４の内側に設けられる錠受け部６、６から構成されている。
【０００７】
前記第一施錠部Ｊ１はスラット１ａの屋内側中央部やや左側に取り付けられる設定となっており、第一施錠部Ｊ１を構成する本体部１０は屋内外方向に薄型で左右方向に長いボックス形状に形成されている。前記本体部１０の表裏面間には、板状の回転体１１の中心が本体部１０の左右方向中央部に回動自在に枢支されている。さらに回転体１１の外周縁部屋内側面には、回転体１１の径方向に対向する部位に位置して左右一対のリンク体１２、１３の基端部がピンＰ１を介してそれぞれ枢支されている。これらリンク体１２、１３は、回転体１１の屋内側に積層状に沿う板状体であり、それぞれ基端部には係止爪１２ａ、１３ａが、また中間部には係止片１２ｂ、１３ｂが形成されている。またリンク体１２、１３の先端部には、それぞれ左右方向に長いクランク形状の作動体１４、１５の段部１４ａ、１５ａがピンＰ２を介して枢支連結されている。これら作動体１４、１５は、それぞれ基端部が回転体１１の屋外側に積層状に沿って移動自在に配設されており、一方先端部は本体部１０の側面から左右方向にそれぞれ突出した状態でスラット１ａにそって配設されている。尚、本実施の形態のおいて、リンク体１２、１３又は作動体１４、１５が本発明の作動手段に相当する。
【０００８】
回転体１１の中心部には、回転体１１の回転中心となるべく回転体１１に一体となり、本体部１０に対して回転自在となる支軸１１ａが屋内外方向に貫通して設けられており、本体部１０から屋内側に貫通して突出した屋内側端部には操作つまみ１６が一体的に設けられている。一方、本体部１０から屋外側に貫通して突出した屋外側端部には、スラット１ａの屋外側から挿入される鍵の先端が嵌入する鍵穴１７ａを有するシリンダー１７がスラット１ａを貫通した状態で取り付けられている。そして前記操作つまみ１６又は鍵の回転操作に基づいて回転体１１が回転せしめられることにより、回転体１１にピンＰ１で枢支された各リンク体１２、１３の基端部が回転変位するようになっており、これによって第一施錠部Ｊ１を解錠状態と施錠状態に状態変化させる構成となっている。
【０００９】
つまり、第一施錠部Ｊ１の解錠状態では、図３に示すように回転体１１に連結された各リンク体１２、１３のピンＰ１の連結部どうしが支軸１１ａを越える位置関係になっていて、各作動体１４、１５の先端部どうしの間隔が近接するように設定されており、一方、この状態から回転体１１を矢印Ｘ方向に略１８０度回転させて第一施錠部Ｊ１を施錠状態にした場合には図４に示すように各リンク体１２、１３のピンＰ１の連結部どうしが支軸１１ａをはさんで左右方向に隣接する位置関係となり、各作動体１４、１５の先端部どうしの間隔が離間して、後述するシャッターカーテン１の施錠を行うようになっている。
【００１０】
また、図３に示すように第一施錠部の解錠状態では、左側のリンク体１２の係止爪１２ａが右側のリンク体１３の係止片１３ｂと係合すると共に、左側のリンク体１２の係止片１２ｂが右側のリンク体１３の係止爪１３ａと係合する状態となって解錠状態がロックされており、これによって第一施錠部Ｊ１の解錠状態においては、たとえ各作動体１４、１５に左右方向の外力が生じても回転体１１は回転することはなく、操作つまみ１６又は鍵の回転操作に基づいてのみ回転体１１を回転させることができ、第一施錠部Ｊ１を解錠状態から施錠状態にすることが可能である。一方、図４に示す第一施錠部Ｊ１の施錠状態では、左側のリンク体１２のピンＰ１の連結部が回転体１１の支軸１１ａよりも下方に位置した状態となっている共に、左側作動体１４の基端部に形成したストッパー１４ｂと回転体１１に形成された当接片１１ｂとが当接する状態となっており、また同様に右側のリンク体１３のピンＰ１の連結部が回転体１１の支軸１１ａよりも上方に位置する状態となっていると共に、右側の作動体１５の基端部に形成したストッパー１５ｂと回転体１１に形成された当接片１１ｂとが当接する状態となっており施錠状態がロックされている構成になっている。このため第一施錠部Ｊ１の施錠状態においては、たとえ各作動体１４、１５に左右方向の外力が生じた場合であっても回転体１１は回転することはなく施錠状態が維持されることとなり、操作つまみ１６又は鍵の回転操作に基づいてのみ回転体１１を回転させることができ、第一施錠部Ｊ１を施錠状態から解錠状態にすることが可能である。
【００１１】
一方、第二施錠部Ｊ２はスラット１ａの中央部やや右側に取り付けられて、前記第一施錠部Ｊ１と所定間隔を存じて併設する設定となっている。第二施錠部Ｊ２の構成は第一施錠部Ｊ１と同一となっている。すなわち第二施錠部Ｊ２を構成する本体部２０は屋内外方向に薄型で左右方向に長いボックス形状に形成されている。前記本体部２０の表裏面間には、板状の回転体２１の中心が本体部２０の左右方向中央部に回動自在に枢支されている。さらに回転体２１の外周縁部屋内側面には、回転体２１の径方向に対向する部位に位置して左右一対のリンク体２２、２３の基端部がピンＰ３を介してそれぞれ枢支されている。これらリンク体２２、２３は、回転体２１の屋内側に積層状に沿う板状体であり、それぞれ基端部には係止爪２２ａ、２３ａが、また中間部には係止片２２ｂ、２３ｂが形成されている。また各リンク体２２、２３の先端部には、左右方向に長いクランク形状の作動体２４、２５の段部２４ａ、２５ａがピンＰ４を介して枢支連結されている。これら作動体２４、２５は、基端部が回転体２１の屋外側に積層状に沿って移動自在に配設されており、一方先端部は本体部２０の側面から左右方向にそれぞれ突出した状態でスラット１ａにそって配設されている。尚、本実施の形態のおいて、リンク体２２、２３又は作動体２４、２５が本発明の作動手段に相当する。
【００１２】
回転体２１の中心部には、回転体２１の回転中心となるべく回転体２１に一体となり、本体部２０に対して回転自在となる支軸２１ａが屋内外方向に貫通して設けられており、本体部２０から屋内側に貫通して突出した屋内側端部には操作つまみ２６が一体的に設けられている。一方、本体部２０から屋外側に貫通して突出した屋外側端部には、スラット１ａの屋外側から挿入される鍵の先端が嵌入する鍵穴２７ａを有するシリンダー２７がスラット１ａを貫通した状態で取り付けられている。そして前記操作つまみ２６又は鍵の回転操作に基づいて回転体２１が回転せしめられることにより、回転体２１にピンＰ３で枢支された各リンク体２２、２３の基端部が回転変位するようになっており、これによって第二施錠部Ｊ２を解錠状態と施錠状態に状態変化させる構成となっている。
【００１３】
第一施錠部Ｊ１と同様、第二施錠部Ｊ２の解錠状態では、図３に示すように回転体に連結された各リンク体２２、２３のピンＰ３の連結部どうしが支軸２１ａを越える位置関係になっていて、各作動体２４、２５の先端部どうしの間隔が近接するように設定されており、一方、この状態から回転体２１を矢印Ｘ方向に略１８０度回転させて第二施錠部Ｊ２を施錠状態にした場合には、図４に示すように各リンク体２２、２３のピンＰ３の連結部どうしが支軸２１ａをはさんで左右方向に隣接する位置関係となり、各作動体２３、２４の先端部どうしの間隔が離間して、後述するシャッターカーテン１の施錠を行うようになっている。
【００１４】
また、第二施錠部Ｊ２の解錠状態では、左側のリンク体２２の係止爪２２ａが右側のリンク体２３の係止片２３ｂと係合すると共に、左側のリンク体２２の係止片２２ｂが右側のリンク体２３の係止爪２３ａと係合する状態となって解錠状態がロックされており、これによって第二施錠部Ｊ２の解錠状態においては、たとえ各作動体２４、２５に左右方向の外力が生じても回転体２１は回転することはなく解錠状態が維持されることとなり、操作つまみ２６又は鍵の回転操作に基づいてのみ回転体２１を回転させることができ、第二施錠部Ｊ２を解錠状態から施錠状態にすることが可能である。一方、第二施錠部Ｊ２の施錠状態では、左側のリンク体２２のピンＰ３の連結部が回転体２１の支軸２１ａよりも下方に位置した状態となっている共に、左側の作動体２４の基端部に形成したストッパー２４ｂと回転体２１に形成された当接片２１ｂとが当接する状態となっており、また同様に右側のリンク体２３のピンＰ３の連結部が回転体２１の支軸２１ａよりも上方に位置する状態となっていると共に、右側の作動体２５の基端部に形成したストッパー２５ｂと回転体２１に形成された当接片２１ｂとが当接する状態となって施錠状態がロックされている構成になっている。このため第二施錠部Ｊ２の施錠状態においては、たとえ各作動体２４、２５に左右方向の外力が生じた場合であっても回転体２１は回転することはなく施錠状態が維持されることとなり、操作つまみ２６又は鍵の解錠操作に基づいてのみ回転体２１を回転させることができ、第二施錠部Ｊ２を施錠状態から解錠状態にすることが可能である。
【００１５】
施錠装置Ｊを構成する第一施錠部とＪ１第二施錠部Ｊ２は前述のとおり、スラット１ａの屋内側側面の左右方向略中央部に所定間隔を存じて取り付けられているが、この所定間隔とは第一施錠部Ｊ１と第二施錠部Ｊ２が共に施錠状態となった場合に、第一施錠部Ｊ１の右側の作動体１５と第二施錠部Ｊ２の左側の作動体２４、すなわち第一施錠部Ｊ１・第二施錠部Ｊ２の隣接する作動体１５、２４どうしの先端部が互いに干渉することのない間隔をもった位置関係となっている。
【００１６】
本発明の作動手段である第一施錠部Ｊ１の左側に位置する作動体１４と、第二施錠部Ｊ２の左側に位置する作動体２４とは連結アーム７を介して連動連結されており、共に一体的に左右方向（水平方向）に変位する構成となっている。つまり第一施錠部Ｊ１の左側に位置する作動体１４と、第二施錠部Ｊ２の左側に位置する作動体２４とは第一施錠部Ｊ１と第二施錠部Ｊ２が同一の状態（第一施錠部Ｊ１が施錠状態ならば第二施錠部Ｊ２も施錠状態、第一施錠部Ｊ１が解錠状態なら第二施錠部Ｊ２も解錠状態）で連動アーム７に連結されているため、第一施錠部Ｊ１を施錠状態から解錠状態にするとそれに連動して第二施錠部Ｊ２も同様に施錠状態から解錠状態へ変化することとなる。連結アームは第一施錠部と第二施錠部の作動体どうしを連結するものであるが、この連結される作動体１４、２４はそれぞれ第一施錠部Ｊ１と第二施錠部Ｊ２が施錠状態から解錠状態に変化するときに同じ動き（変位）するものどうしが連結される構成になっている。よって、図３、図４のものとは反対に第一施錠部Ｊ１の右側に位置する作動体１５と第二施錠部Ｊ２の右側に位置する作動体２５を連結アーム７で連結するようにしても良い。
【００１７】
第一施錠部Ｊ１の左側に位置する作動体１４と第二施錠部Ｊ２の右側に位置する作動体２５の先端にはそれぞれ連結リンク８、８が連結されており、該各連結リンク８、８の先端には、それぞれ左右ガイドレール４、４側に配された錠受け部６、６に係合する施錠体９、９が設けられている。そしてこれら各施錠体９、９は第一施錠部Ｊ１及び第二施錠部Ｊ２が施錠状態となることで先端部が錠受け部６、６に係合し、シャッターカーテン１が全閉状態で施錠されることなり、また第一施錠部Ｊ１及び第二施錠部Ｊ２が解錠状態となることで錠受け部６、６との係合が解除され、シャッターカーテン１の開閉動作が可能な状態となる。
【００１８】
次に、本発明の施錠装置Ｊの操作方法について説明する。
まず、図４に示す施錠装置Ｊの施錠状態から解錠状態にするためには、屋内側から操作する場合は第一施錠部Ｊ１の操作つまみ１６と第二施錠部Ｊ２の操作つまみ２６を同時に解錠操作して回転体１１、２２を矢印Ｙ方向に１８０度回転させることで行われる。また屋外側から操作する場合は第一施錠部Ｊ１のシリンダー１７に設けられた鍵穴１７ａに鍵を差込むと共に第二施錠部Ｊ２のシリンダー２７に設けられた鍵穴２７ａに鍵を差し込んで、各鍵を同時に矢印Ｚ方向に１８０度回転させることで行われる。
また、図３に示す施錠装置の解錠状態から施錠状態にするためには、屋内側から操作する場合は第一施錠部Ｊ１の操作つまみ１６と第二施錠部Ｊ２の操作つまみ２６を同時に施錠操作して回転体１１、２２を矢印Ｘ方向に１８０度回転させること行われる。また屋外側から操作する場合は第一施錠部Ｊ１のシリンダー１７に設けられた鍵穴１７ａに鍵を差込むと共に第二施錠部Ｊ２のシリンダー２７ａに設けられた鍵穴に鍵を差し込んで、各鍵を同時に矢印Ｚとは反対方向に１８０度回転させることで行われる。
【００１９】
図４に示す施錠装置Ｊの施錠状態から第一施錠部Ｊ１だけ操作つまみ１６又は鍵による解錠操作を行おうとした場合には、第一施錠部Ｊ１は解錠状態に変化しようして第一施錠部Ｊ１の左側の作動体１４が右方向に移動しようとするが、第一施錠部Ｊ１の左側の作動体１４は連結アーム７を介して第二施錠部Ｊ２の左側の作動体２４に連結されている。そして第二施錠部Ｊ２は施錠状態にある場合には操作つまみ２６又は鍵による解錠操作以外ではその施錠状態がロックされる構成となっており、たとえ第一施錠部Ｊ１の解錠操作により連結アーム７を介して第二施錠部Ｊ２の左側の作動体２４に右方向の外力が作用しても、第二施錠部Ｊ２の左側の作動体２４は右方向に移動することはなく、つまり第一施錠部Ｊ１の解錠操作を行うことができないため、施錠装置Ｊを解錠させることは出来ない。同様に施錠装置Ｊの施錠状態から第二施錠部Ｊ２だけ操作つまみ２６または鍵による解錠操作を行おうとしても、第一施錠部Ｊ１は第二施錠部Ｊ２と同じように施錠状態にある場合には操作つまみ１６又は鍵による解錠操作以外ではその施錠状態がロックされる構成となっているため、たとえ第二施錠部Ｊ２の解錠操作により連結アーム７を介して第一施錠部Ｊ１の左側の作動体１４に右方向の外力が作用しても、第一施錠部Ｊ１の左側の作動体１４は右方向に移動することはなく、つまり第二施錠部Ｊ２の解錠操作を行うことができないため、施錠装置Ｊを解錠させることは出来ない。
これと同じ理屈により、施錠装置の解錠状態から第一施錠部Ｊ１のみの施錠操作を行おうとした場合にも、第一施錠部Ｊ１は施錠操作を行うことができず、施錠装置Ｊも施錠状態へとすることは出来ない。同様に第二施錠部Ｊ２のみの施錠操作を行おうとしても、第二施錠部Ｊ２は施錠操作を行うことができず、施錠装置Ｊも解錠状態から施錠状態へと変化させることはできない。
尚、施錠装置Ｊの施錠操作について、本実施の形態では第一施錠部と第二施錠部の同時操作により行われるが、第一施錠部若しくは第二施錠部のどちらかの単独の施錠操作で施錠装置（第一施錠部と第二施錠部の両方）が解錠状態から施錠状態に移行する構成にしても良い。
【００２０】
叙述のごとく構成された本発明の実施形態において、シャッターカーテン１を施錠するための施錠装置Ｊは第一施錠部Ｊ１と第二施錠部Ｊ２で構成され、第一施錠部Ｊ１・第二施錠部Ｊ２がそれぞれ施錠状態となることにより、各連結リンク８、８の先端の設けた施錠体９、９がガイドレール４、４側の錠受け部６、６に係合してシャッターカーテン１の施錠がなされるが、本発明の施錠装置Ｊは、第一施錠部Ｊ１又は第二施錠部Ｊ２の単独の解錠操作では、第一施錠部Ｊ１及び第二施錠部Ｊ２は解錠状態とはならず、各施錠部Ｊ１、Ｊ２の同時の解錠操作をした場合にのみ、施錠装置Ｊすなわちシャッターカーテン１の解錠が出来るようになっている。この結果、施錠装置Ｊは第一施錠部Ｊ１と第二施錠部Ｊ２との同時の解錠操作を行わない限り解錠することが出来ず、解錠操作を知らないものにとっては解錠操作が難しく、防犯性を高めることが出来る。また最近はピッキングによる盗難被害で増加しているいるが、本発明の施錠装置Ｊは第一施錠部Ｊ１と第二施錠部Ｊ２を同時に解錠操作する必要があるため、単独犯のピッキングによる鍵のこじ開けはほとんど不可能ということになる。さらにたとえ二人組みの泥棒がピッキングによるこじ開けを試みても、同時にタイミングよく解錠させるのは非常に困難であるため、防犯性が非常に高いものとなる。
【００２１】
本発明の施錠装置Ｊは従来使われてきたシャッターの錠装置の施錠部をスラットの左右方向に併設して設け、解錠操作した場合に同一方向に移動する各施錠部の作動体どうしを連結アームで連結しただけの簡単な構成であり、上述のように防犯性が非常に高いものでありながら、コンパクトで軽量な構成とすることが可能であり、特にシャッター錠装置のようにシャッターカーテンを形成するスラットに施錠装置を設置するような場合には特に有効である。
【００２２】
本実施の形態では上述のごとく構成されているが、本発明はこれに限定されること無く、シャッター装置以外の開閉体、例えばドア、引戸等にも採用することが可能である。この場合にはドアや引戸の戸先側に第一施錠部と第二施錠部を上下方向に連設し、各施錠部の解錠操作に伴い同一方向に変位する作動体どうしを連動連結して、各施錠部の同時の解錠操作でのみ躯体側に設けられた各錠受け部と各デットボルト等との係合が解除して、ドア又は引戸等の解錠を行う構成にしても良い。また上記実施の形態では連結アームは、解錠操作のした場合に同一方向に動く各作動体どうしを連結していたが、同じく解錠操作のときに同一方向に動くリンク体どうしを連結するようにしても良い。
【００２３】
また、本発明の施錠装置の防犯性をさらに高めるためには、前記第一施錠部と第二施錠部の各鍵穴どうしを近接させる構成にするとよい。図６・図７はその一例を示したものである。図６・図７において上述の実施の形態と同一の部材については同じ符号を付すこととする。このものは、連続する上下スラット１ａ、１ａの左右方向同位置に第一施錠部Ｊ１と第二施錠部Ｊ２を各１つずつ設け、解錠操作に伴い同一方向に移動する作動体１４、２４どうしを連結アーム７で連動連結している。１ｂはスラット１ａの連結部に設けた切欠部であり、施錠装置Ｊの施錠・解錠操作のときの移動で連結アーム７がスラット１ａの連結部と干渉しないようになっている。また連結アーム７の中間部分には折曲部７ａが設けてあり、シャッターカーテン１が巻き取りシャフト３に巻回される場合に、スラット１ａの連結部の回転に追随するようになっている。そしてこのようにすることにより屋外側から操作する部分、すなわち各施錠部Ｊ１、Ｊ２の鍵穴１７ａ、２７ａどうしが近接する構成となり、複数人による同時のピッキング操作をできないようにすることが可能で、さらに防犯性が高い施錠装置とすることができる。
【図面の簡単な説明】
【図１】シャッター装置の屋内側正面図
【図２】施錠装置取付部分のスラットを屋内側から見た正面図
【図３】施錠装置の解錠状態を屋内側から見た要部内観図
【図４】施錠装置の施錠状態を屋内側から見た要部内観図
【図５】施錠装置取付部分のスラットを屋外側から見た正面図
【図６】他の実施の形態を示す図で施錠装置取付部分のスラットを屋内側から見た正面図
【図７】他の実施の形態を示す図で施錠装置取付部分のスラットを屋外側から見た正面図
【符号の説明】
１　シャッターカーテン
１ａ　スラット
２　シャッターケース
３　巻取りシャフト
４　ガイドレール
５　バランス弾機
６　錠受け部
７　連結アーム
８　連結リンク
９　施錠体
１０、２０　本体部
１１、２１　回転体
１１ａ、２１ａ　支軸
１１ｂ、２１ｂ　当接片
１２、１３、２２、２３　リンク体
１２ａ、１３ａ、２２ａ、２３ａ　係止爪
１２ｂ、１３ｂ、２２ｂ、２３ｂ　係止片
１４、１５、２４、２５　作動体
１４ａ、１５ａ、２４ａ、２５ａ　段部
１４ｂ、１５ｂ、２４ｂ、２５ｂ　ストッパー
１６、２６　操作つまみ
１７、２７　シリンダー
１７ａ、２７ａ　鍵穴
Ｊ　施錠装置
Ｊ１　第一施錠部
Ｊ２　第二施錠部
Ｐ１、Ｐ２、Ｐ３、Ｐ４　ピン
【図１】
2004027760.tif 000003
【図２】
2004027760.tif 000004
【図３】
2004027760.tif 000005
【図４】
2004027760.tif 000006
【図５】
2004027760.tif 000007
【図６】
2004027760.tif 000008
【図７】
2004027760.tif 000009